(57)【要約】      （修正有）【課題】ネオン管のような高電圧を使用しないで、安全で省エネルギーに貢献しネオン管と同様な宣伝効果を出し、さらに携帯して持つことはもちろん、衣服の一部として活用することによりコンサート会場などでの応援板として使用可能な携帯用表示装置を提供する。【解決手段】ネオン管の表示と同様に文字や形状を作り、その文字や形状を光らせる。文字や形状を形作る材料にプラスチック製光ファイバー１を使用し、点灯には自動変色のＬＥＤ２を電池などの直流電源で駆動させる。ＬＥＤの特性を揃えたり、揃えなかったりすることで色の変化を揃えたり、又はばらばらにしてファイバの中で異なる光を合成することができる。店の看板、室内インテリア、鞄の外装、車の外装、メッセージボード、衣服として等様々な活用が可能である。【選択図】図３
0003188506.tif 000002
【実用新案登録請求の範囲】
【請求項１】
プラスチック製光ファイバと、該光ファイバの一端又は両端にＬＥＤを接続した電飾部を文字や形状に組み合わせ、各既電飾部に直流電源を印加して表示させる携帯表示装置であって
【請求項２】
既ＬＥＤに光が自動的に変化させる構造の素子を使用した１．の携帯用表示装置
【請求項３】
既ＬＥＤを二本以上使用する場合、表示装置のＬＥＤの色の変化を揃えるために製造ロッドが同じで特性が近い素子を使用し、一定時間感覚で色の変化を揃えるために電源を断続させる、あるいは該ＬＥＤの色の変化にばらつきを与えるために製造ロッドの異なる素子を使用した１．の携帯用表示装置
【請求項４】
既電飾部を取り外して他の文字や形状に変更可能な１．の携帯表示装置である。
【考案の詳細な説明】
【技術分野】
【０００１】  本考案は、携帯用表示装置に関するものである。
【背景技術】
【０００２】  本考案に関係するものはない。
【考案の概要】
【考案が解決しようとする課題】
【０００３】  昔からネオンを使用した広告看板は多く使用されている。ちんどん屋などは体の前後ろに広告版を掲げて街を練り歩く。ネオン管のような高電圧を使用しないで、安全で省エネルギーに貢献しネオン管と同様な宣伝効果を出し、さらに携帯して持つことはもちろん、体の前後に掲げて宣伝することやコンサート会場などでの応援板として使用可能な表示装置が望まれる。
【課題を解決するための手段】
【０００４】  ネオン管の表示と同様に文字や形状を作り、その文字や形状を光らせるという方法は同じである。文字や形状を形作る材料にプラスチック製光ファイバーを使用する。点灯には自動変色のＬＥＤを電池などの直流で駆動せる。同時に色が変色していくためには、製造ロッドが等しいＬＥＤを使用し、一定間隔で電源を切断し、変化のずれをリセットすることにより、いつまでたっても同じ変色を繰り返す。また、文字のさまざまな箇所がさまざまな色に変色させるためには製造ロッドの異なるＬＥＤを組み合わせて、長時間電源を切断しないように使用する。製造ロッドは製造会社で同じ条件のもとに作成され、電気的特性が極めて似かよっている多くの素子の塊で、同じ製造機械で製造した製品であってもロッドが異なると電気的特性が少しずつ異なるため、変色がばらつくことを活用する。光ファイバの一方向、又は二方向、あるいはそれ以上の方向から点灯するよう光ファイバ断面近くでＬＥＤを点灯させる。ＬＥＤの光はファイバの中を通ることによりファイバの表面から変色した光が放たれる。すなわち、本考案は以下のとおりである。
１．プラスチック製光ファイバと、該光ファイバの一端又は両端にＬＥＤを接続した電飾部を文字や形状に組み合わせ、各既電飾部に直流電源を印加して表示させる携帯表示装置であって
２．既ＬＥＤに光が自動的に変化させる構造の素子を使用した１．の携帯用表示装置
３．既ＬＥＤを二本以上使用する場合、表示装置のＬＥＤの色の変化を揃えるために製造ロッドが同じで特性が近い素子を使用し、一定時間感覚で色の変化を揃えるために電源を断続させる、あるいは該ＬＥＤの色の変化にばらつきを与えるために製造ロッドの異なる素子を使用した１．の携帯用表示装置
４．既電飾部を取り外して他の文字や形状に変更可能な１．の携帯表示装置である。
この携帯用表示装置により緩やかに時間的間隔をもって文字や形状の色が変化していくため、同一色の表示装置に比べ、視覚に訴える効果を持つ。ネオン管に変わる表示や店内のインテリアとしての使用をはじめ、体の前後に掲げて夕方から夜にかけての路上広告に使用したり、コンサート会場などに持ち込んで表示させる場合やこの表示装置を衣服の一部として組み込んで表示させる場合も、演奏者や演技者、又は自分以外のお客様などに不快感を与えるような奇抜さを持たないことから様々な活用が期待される。
【考案の効果】
【０００５】  本考案は、携帯用表示装置としての考案である。夕方から夜にかけてのちんどん屋の体の前後ろに掲げる看板として、ヒッチハイク時の車に見せる看板として、コンサートにおける応援看板などに活用できる。また電源は直流電源はもちろん、商用交流電源を交流−直流変換アダプタにより直流にして使用することも可能であため、ネオンに代わる店の看板や店内での案内、装飾インテリアとしても活用が期待される。消費電力が非常に小さく省エネルギーに貢献できる。低電圧で駆動できるため安全で子供などに使用させることが可能である。電飾部の組み合わせを変えることにより繰り返し使用可能である。
【図面の簡単な説明】
【０００６】
【図１】電飾部の接続を示す
【図２】ＬＥＤの結線を示す
【図３】パネルに固定した状態の表面を示す
【図４】パネルに固定した状態の裏面を示す
【考案を実施するための形態】
【０００７】  以下、本考案を実施形態に従って説明する。
図１のようにプラスチック製光ファイバ１の一端または両端にＬＥＤを収縮ゴム製又はプラスチック製固定具３により固定したものを一つの電飾部とする。
【０００８】  電飾部の既ＬＥＤの長い足４あるいは短い足７のいずれか一方に電流制限用抵抗５を接続し、長い足４側に直流電源１２の＋を、短い足７側に−を接続することにより駆動する。
【０００９】  図２に電飾部の既ＬＥＤの足の結線を示す。形状や文字を変更しない場合は、既ＬＥＤの長い足４及び短い足７をそのまま結線するが、形状や文字を解体して何度か作り変える場合は既ＬＥＤの足を短く切断し、ＬＥＤソケット８を使用する。
【００１０】  図３に携帯表示装置の表面を示す。パネルの表面９に電飾部を締め紐１０を使用して固定する。既ＬＥＤの足は、パネルの表面９に穴をあけ、又は穴あきパネルを使用する場合は穴を活用して裏面の配線側に回す。電源スイッチ１１をパネル表面に取り付ける場合の位置の例を示す。
【００１１】  図４に携帯表示装置の裏面を示す。パネルの裏面１２に回した既ＬＥＤの足４を絶縁電線（＋側）１３で延長し、途中に既電流制限用抵抗５を入れて、既電源スイッチ１１の片方の端子にまとめて接続する。既電源スイッチのもう一方の端子を直流電源１５の＋に接続する。既ＬＥＤの足７を絶縁電線（−側）１４で延長し直流電源１５の−に接続する。
【００１２】  電源を入れるとすべての電飾部は、赤等の定められた色を発行し、時間とともに赤から緑、緑から青、青から黄、黄から紫、紫から赤などと変化をしていく。電飾部に二つのＬＥＤを付けることにより、時間経過した場合はそれぞれが異なる色を放ち、ファイバ１の途中において色が混ざり合い、単色では考えられない感じを表現する。
ＬＥＤのロッドを同じものにした場合は電気的特性がほぼ等しいことから同じ変化を繰り返す。ロッドを変えた場合には電気的特性が若干異なり、色の変化する間隔がそれぞれのＬＥＤにより異なるため艶やかさが増す。
安全で持ち運びができることはもちろん、衣服の一部として組み込み、移動しながら駆動させることや、コンサート等の会場へ持ち込むことも可能となる。奇抜な電飾ではないため、人の迷惑になることはなく、店の看板のほかインテリアとしても活用が可能である。
【符号の説明】
【００１３】１  プラスチック製光ファイバ、２  ＬＥＤ、３  収縮ゴム製又はプラスチック製固定具、４  ＬＥＤの長い足、５  電流制限用抵抗、６  電流制限用抵抗を付けた側の足、７  電流制限用をつけない方の足、８  ＬＥＤソケット、９  パネルの表面、１０  締め紐、１１  電源スイッチ、１２  パネルの裏面、１３  絶縁電線（＋側）、  １４  絶縁電線（−側）、１５  直流電源
【図１】
0003188506.tif 000003
【図２】
0003188506.tif 000004
【図３】
0003188506.tif 000005
【図４】
0003188506.tif 000006
【手続補正書】
【提出日】平成25年10月24日(2013.10.24)
【手続補正１】
【補正対象書類名】実用新案登録請求の範囲
【補正対象項目名】全文
【補正方法】変更
【補正の内容】
【実用新案登録請求の範囲】
【請求項１】
プラスチック製光ファイバと、該光ファイバの一端又は両端にＬＥＤを接続した電飾部を文字や形状に組み合わせ、前記電飾部に直流電源を印加して表示させる携帯用表示装置。
【請求項２】
前記ＬＥＤに光が自動的に変化させる構造の素子を使用した請求項１記載の携帯用表示装置。
【請求項３】
前記ＬＥＤを二本以上使用する場合、表示装置の前記ＬＥＤの色の変化を揃えるために製造ロッドが同じで特性が近い素子を使用し、一定時間感覚で色の変化を揃えるために電源を断続させる、あるいは前記ＬＥＤの色の変化にばらつきを与えるために製造ロッドの異なる素子を使用した請求項１記載の携帯用表示装置。
【請求項４】
前記電飾部を取り外して他の文字や形状に変更できることを特徴とする請求項１記載の携帯表示装置。
【手続補正２】
【補正対象書類名】明細書
【補正対象項目名】全文
【補正方法】変更
【補正の内容】
【考案の詳細な説明】
【技術分野】
【０００１】  本考案は、携帯用表示装置に関するものである。
【背景技術】
【０００２】  本考案に関係するものはない。
【考案の概要】
【考案が解決しようとする課題】
【０００３】  昔からネオンを使用した広告看板は多く使用されている。ちんどん屋などは体の前後ろに広告版を掲げて街を練り歩く。ネオン管のような高電圧を使用しないで、安全で省エネルギーに貢献しネオン管と同様な宣伝効果を出し、さらに携帯して持つことはもちろん、体の前後に掲げて宣伝することやコンサート会場などでの応援板として使用可能な表示装置が望まれる。
【課題を解決するための手段】
【０００４】  ネオン管の表示と同様に文字や形状を作り、その文字や形状を光らせるという方法は同じである。文字や形状を形作る材料にプラスチック製光ファイバーを使用する。点灯には自動変色のＬＥＤを電池などの直流で駆動せる。同時に色が変色していくためには、製造ロッドが等しいＬＥＤを使用し、一定間隔で電源を切断し、変化のずれをリセットすることにより、いつまでたっても同じ変色を繰り返す。また、文字のさまざまな箇所がさまざまな色に変色させるためには製造ロッドの異なるＬＥＤを組み合わせて、長時間電源を切断しないように使用する。製造ロッドは製造会社で同じ条件のもとに作成され、電気的特性が極めて似かよっている多くの素子の塊で、同じ製造機械で製造した製品であってもロッドが異なると電気的特性が少しずつ異なるため、変色がばらつくことを活用する。光ファイバの一方向、又は二方向、あるいはそれ以上の方向から点灯するよう光ファイバ断面近くでＬＥＤを点灯させる。ＬＥＤの光はファイバの中を通ることによりファイバの表面から変色した光が放たれる。すなわち、本考案は以下のとおりである。
１．プラスチック製光ファイバと、該光ファイバの一端又は両端にＬＥＤを接続した電飾部を文字や形状に組み合わせ、前記電飾部に直流電源を印加して表示させる携帯用表示装置。
２．前記ＬＥＤに光が自動的に変化させる構造の素子を使用した１記載の携帯用表示装置。
３．前記ＬＥＤを二本以上使用する場合、表示装置の前記ＬＥＤの色の変化を揃えるために製造ロッドが同じで特性が近い素子を使用し、一定時間感覚で色の変化を揃えるために電源を断続させる、あるいは前記ＬＥＤの色の変化にばらつきを与えるために製造ロッドの異なる素子を使用した１記載の携帯用表示装置。
４．前記電飾部を取り外して他の文字や形状に変更できることを特徴とする１記載の携帯用表示装置。
この携帯用表示装置により緩やかに時間的間隔をもって文字や形状の色が変化していくため、同一色の表示装置に比べ、視覚に訴える効果を持つ。ネオン管に変わる表示や店内のインテリアとしての使用をはじめ、体の前後に掲げて夕方から夜にかけての路上広告に使用したり、コンサート会場などに持ち込んで表示させる場合やこの表示装置を衣服の一部として組み込んで表示させる場合も、演奏者や演技者、又は自分以外のお客様などに不快感を与えるような奇抜さを持たないことから様々な活用が期待される。
【考案の効果】
【０００５】  本考案は、携帯用表示装置としての考案である。夕方から夜にかけてのちんどん屋の体の前後ろに掲げる看板として、ヒッチハイク時の車に見せる看板として、コンサートにおける応援看板などに活用できる。また電源は直流電源はもちろん、商用交流電源を交流−直流変換アダプタにより直流にして使用することも可能であため、ネオンに代わる店の看板や店内での案内、装飾インテリアとしても活用が期待される。消費電力が非常に小さく省エネルギーに貢献できる。低電圧で駆動できるため安全で子供などに使用させることが可能である。電飾部の組み合わせを変えることにより繰り返し使用可能である。
【図面の簡単な説明】
【０００６】
【図１】電飾部の接続を示す
【図２】ＬＥＤの結線を示す
【図３】パネルに固定した状態の表面を示す
【図４】パネルに固定した状態の裏面を示す
【考案を実施するための形態】
【０００７】  以下、本考案を実施形態に従って説明する。
図１のようにプラスチック製光ファイバ１の一端または両端にＬＥＤを収縮ゴム製又はプラスチック製固定具３により固定したものを一つの電飾部とする。
【０００８】  電飾部の既ＬＥＤの長い足４あるいは短い足７のいずれか一方に電流制限用抵抗５を接続し、長い足４側に直流電源１２の＋を、短い足７側に−を接続することにより駆動する。
【０００９】  図２に電飾部の既ＬＥＤの足の結線を示す。形状や文字を変更しない場合は、既ＬＥＤの長い足４及び短い足７をそのまま結線するが、形状や文字を解体して何度か作り変える場合は既ＬＥＤの足を短く切断し、ＬＥＤソケット８を使用する。
【００１０】  図３に携帯表示装置の表面を示す。パネルの表面９に電飾部を締め紐１０を使用して固定する。既ＬＥＤの足は、パネルの表面９に穴をあけ、又は穴あきパネルを使用する場合は穴を活用して裏面の配線側に回す。電源スイッチ１１をパネル表面に取り付ける場合の位置の例を示す。
【００１１】  図４に携帯表示装置の裏面を示す。パネルの裏面１２に回した既ＬＥＤの足４を絶縁電線（＋側）１３で延長し、途中に既電流制限用抵抗５を入れて、既電源スイッチ１１の片方の端子にまとめて接続する。既電源スイッチのもう一方の端子を直流電源１５の＋に接続する。既ＬＥＤの足７を絶縁電線（−側）１４で延長し直流電源１５の−に接続する。
【００１２】  電源を入れるとすべての電飾部は、赤等の定められた色を発行し、時間とともに赤から緑、緑から青、青から黄、黄から紫、紫から赤などと変化をしていく。電飾部に二つのＬＥＤを付けることにより、時間経過した場合はそれぞれが異なる色を放ち、ファイバ１の途中において色が混ざり合い、単色では考えられない感じを表現する。
ＬＥＤのロッドを同じものにした場合は電気的特性がほぼ等しいことから同じ変化を繰り返す。ロッドを変えた場合には電気的特性が若干異なり、色の変化する間隔がそれぞれのＬＥＤにより異なるため艶やかさが増す。
安全で持ち運びができることはもちろん、衣服の一部として組み込み、移動しながら駆動させることや、コンサート等の会場へ持ち込むことも可能となる。奇抜な電飾ではないため、人の迷惑になることはなく、店の看板のほかインテリアとしても活用が可能である。
【符号の説明】
【００１３】１  プラスチック製光ファイバ、２  ＬＥＤ、３  収縮ゴム製又はプラスチック製固定具、４  ＬＥＤの長い足、５  電流制限用抵抗、６  電流制限用抵抗を付けた側の足、７  電流制限用をつけない方の足、８  ＬＥＤソケット、９  パネルの表面、１０  締め紐、１１  電源スイッチ、１２  パネルの裏面、１３  絶縁電線（＋側）、１４  絶縁電線（−側）、１５  直流電源